(57)【特許請求の範囲】
【請求項１】
利用者の背面側をマッサージするためのマッサージ装置において、
長手方向中途部が折り曲げ自在に形成された本体と、
この本体の下面に設けられ長手方向中途部で２つのフレームに分割されたフレーム部材と、
上記２つのフレームを回動自在かつ所定の回動角度で保持可能に連結するとともに上記本体内に突出して設けられたヒンジ機構と、
上記本体の上面の幅方向両側に長手方向全長にわたって設けられ上記本体の下面から本体内に突出した上記ヒンジ機構を覆う傾斜壁を有する固定クッション体と、
上記本体の上面の長手方向に沿って走行自在に設けられたマッサージローラと、
このマッサージローラを走行駆動する駆動手段と、
上記マッサージローラの走行領域の幅方向の寸法のほぼ半分の幅寸法を有して上記固定クッション体の内側に連結され上記本体の上面側の上記マッサージローラの走行領域を覆う状態と上記マッサージローラの走行領域を開放する状態との選択可能に設けられた可動クッション体と
を具備したことを特徴とするマッサージ装置。
【請求項２】
上記フレーム部材の一方のフレームは、脚フレームによって所定の高さに支持固定されていることを特徴とする請求項１記載のマッサージ装置。
【発明の詳細な説明】
【０００１】
【発明の属する技術分野】
この発明は利用者の全身をマッサージすることができるマッサージ装置に関する。
【０００２】
【従来の技術】
一般に上記マッサージ装置としては特公平２−２３１８１号公報に示される構成のものが知られている。この公報に示されたマッサージ装置は矩形板状の基体を有し、この基体の上面にはガイドレールが長手方向ほぼ全長にわたって敷設されている。このガイドレールにはマッサージローラを保持した保持体が走行自在に設けられている。上記保持体の上面側はカバーによって覆われている。
【０００３】
それによって、利用者が上記カバー上に横臥した状態で上記保持体を基体の長手方向に沿って往復駆動すれば、利用者の背面を全体にわたってマッサージすることができる。
【０００４】
上記基体の長手方向中途部および上記ガイドレールの長手方向中途部は、ともに折り曲げ可能な柔軟部に形成されている。それによって、この公報に示されたマッサージ装置は２つに折り畳むことができるから、不使用時には邪魔にならないように収納したり、部屋の片隅に置いておくことができる。
【０００５】
このように、不使用時にその長さ寸法を約半分にすることができる構成によれば、上述したように収納に便利であるという利点を有する。しかしながら、このようなマッサージ装置は利用者をマッサージするだけにしか利用できないため、マッサージを受けないときには、たとえ折り畳むことで長さ寸法を半分にできても、かなり大きなものであるから、邪魔になるということがある。
【０００６】
【発明が解決しようとする課題】
このように、利用者が全身にマッサージを受けることができるマッサージ装置においては、マッサージを受けないときに２つに折り畳むことができたとしても、かなり大きなものであるから、邪魔になるということがあった。
【０００７】
この発明はマッサージを受けないときには他の用途に利用できるようにすることで、不使用時に邪魔になることがなく、しかも商品としての付加価値を高めることができるようにしたマッサージ装置を提供することにある。
【０００８】
【課題を解決するための手段】
請求項１の発明は、利用者の背面側をマッサージするためのマッサージ装置において、
長手方向中途部が折り曲げ自在に形成された本体と、
この本体の下面に設けられ長手方向中途部で２つのフレームに分割されたフレーム部材と、
上記２つのフレームを回動自在かつ所定の回動角度で保持可能に連結するとともに上記本体内に突出して設けられたヒンジ機構と、
上記本体の上面の幅方向両側に長手方向全長にわたって設けられ上記本体の下面から本体内に突出した上記ヒンジ機構を覆う傾斜壁を有する固定クッション体と、
上記本体の上面の長手方向に沿って走行自在に設けられたマッサージローラと、
このマッサージローラを走行駆動する駆動手段と、
上記マッサージローラの走行領域の幅方向の寸法のほぼ半分の幅寸法を有して上記固定クッション体の内側に連結され上記本体の上面側の上記マッサージローラの走行領域を覆う状態と上記マッサージローラの走行領域を開放する状態との選択可能に設けられた可動クッション体と
を具備したことを特徴とする。
【００１０】
請求項２の発明は、請求項１の発明において、上記フレーム部材の一方のフレームは、脚フレームによって所定の高さに支持固定されていることを特徴とする。
【００１２】
請求項１の発明によれば、利用者がマッサージを受けない場合には、可動クッション体によってマッサージローラの走行領域を覆うことができ、しかも折り曲げ自在な本体を折り曲げた状態で保持することができるから、マッサージ装置をソファーやリクライニングシートなどとして利用することができる。
【００１３】
請求項２の発明によれば、本体のフレーム部材の２つに分割された一方のフレームを脚フレームによって所定の高さに保持したことで、座部が所定の高さになったソファーとして利用することができる。
【００１５】
【発明の実施の形態】
以下、この発明の実施の形態を図面を参照して説明する。
図１乃至図９はこの発明の第１の実施の形態を示す。図１は脚フレーム２に支持されたマッサージ装置１を示し、このマッサージ装置１は本体３を有する。この本体３は図２乃至図５に示すようにナイロン、ポリプロピレン、ポリビニールあるいはウレタンなどの合成樹脂によって矩形板状に形成された基板４と、この基板４の下面に設けられたフレーム部材５からなる。
【００１６】
上記基板４の長手方向中途部には、幅方向に沿うとともに下面に開放した折り曲げ用の溝４ａが長手方向に対して所定間隔で形成されている。したがって、基板４はその長手方向中途部から折り曲げ可能となっている。なお、基板４を折り曲げ可能とするために、溝４ａを形成したが、それに代わり基板４自体を折り曲げ可能な柔軟な合成樹脂で形成してもい。
【００１７】
上記フレーム部材５は図６に示すように座側フレーム５ａと、背側フレーム５ｂとがヒンジ機構６によって回動自在かつ所定の回動角度で保持可能に連結されている。つまり、上記ヒンジ機構６は、図７（ａ）、（ｂ）に示すように支軸７によって第１のアーム８と第２のアーム９との一端が枢着されている。第１のアーム８の一端には歯１０が形成され、第２のアーム９の一端には上記歯１０に噛み合うストッパ１１がピン１２によって枢着されているとともに、ばね１２ａによって上記歯１０に噛み合う方向に付勢されている。
【００１８】
上記支軸７にはカム板１３が回動自在に取付けられている。このカム板１３の外周には周方向に所定の角度で凹部１４と凸部１５とが形成されている。上記凸部１５の上記支軸７からの半径寸法は上記歯１０の半径寸法よりも大きく形成されている。また、上記第１のアーム８の一端には上記歯１０に上記ストッパ１１が係合した状態において上記凹部１４に対向位置する係合体１６が設けられている。
【００１９】
したがって、上記歯１０とストッパ１１との係合により、第１のアーム８を第２のアーム９に対して所定の回動角度で保持することができる。また、第１のアーム８を図７（ａ）に矢印で示す方向へ回動させ、この回動にカム板１３をその凹部１４の一端に当接する係合体１６によって連動させれば、このカム板１３の凸部１５に上記ストッパ１１が乗り上げて歯１０との噛み合い外れるから、上記第１のアーム８を矢印と逆方向へ自由に回動させることができる。この方向への回動は上記係合体１６が凹部１４の他端に当接してカム板１３を回動させ、上記ストッパ１１がカム板１３の凸部１５から外れて歯１０に係合するまで、すなわち第１のアーム８が第２のアーム９に対してほぼ水平になるまで回動させることができるようになっている。
【００２０】
上記第１のアーム８は背側フレーム５ａに連結され、上記第２のアーム９は座側フレーム５ｂに連結されている。また、座側フレーム５ｂは上記脚フレーム２の一対の脚部２ａ間に設けられた支持部２ｂに所定の高さでほぼ水平に支持され、ねじ１７によって取付け固定されている。
【００２１】
上記本体３の基板４は上記フレーム部材５の上面側に設けられている。つまり、上記基板４の座側フレーム５ａに対応する部分はこの座側フレーム５ａにねじ１８によって固定され、背側フレーム５ｂに対応する部分は図６と図８に示すほぼＵ字状の受け具１９によって上記背側フレーム５ｂの両側部分にスライド自在に保持されている。
【００２２】
したがって、フレーム部材５の背側フレーム５ｂは、上記基板４とともに上記座側フレーム５ｂに対して上昇方向へ回動させることができ、しかも上記ヒンジ機構６により所定の回動角度で保持できるようになっている。ヒンジ機構６の第１のアーム８と第２のアーム９の連結部分は図４に示すように上記基板４の上面側に突出している。
【００２３】
上記本体３の上面の幅方向両端部には一対のガイドレール２１が長手方向ほぼ全長にわたって固定されて設けられている。このガイドレール２１は合成樹脂によって図４に示す断面形状に形成されているとともに、長手方向の中途部には上記基板４とともに折り曲げ可能とするために溝２２（図５に示す）が形成されている。つまり、基板４とガイドレール２１との溝４ａ、２２によって本体３の長手方向中途部はこの本体３を折り曲げることができる柔軟部に形成されている。
【００２４】
上記ガイドレール２１は図４に示すように上部通路２３と下部通路２４を有するとともに、これら通路の側方にはガイド部２５が形成されている。なお、ガイドレール２１は上記本体３とともに折り曲げることができるようにするため、座側フレーム５ａ側に位置する一端側だけが上記本体３に固定され、他端側は上記本体３に対してスライド自在に保持されている。
【００２５】
上記ガイドレール２１には一対の保持体２６が走行自在に設けられている。つまり、保持体２６は図３および図４に示すように一対のサポート２７を有する。このサポート２７には、下端部に上記ガイドレール２１のガイド部２５を走行する一対のローラ２８（１つだけ図示）が設けられ、上部には支持孔２９が形成されている。
【００２６】
一対のサポート２７の支持孔２９には中空軸３１の両端部が嵌入支持されている。この中空軸３には連結ロッド３２が挿通されている。この連結ロッド３２の両端部は上記サポート２７に固定されている。上記中空軸３１には複数のマッサージローラ３３が回転自在に支持されている。
【００２７】
上記本体３の長手方向一端部の上面には駆動装置３５が設けられている。この駆動装置３５は図５と図９に示すようにボックス３６を有し、このボックス３６内には駆動モータと減速機とが一体化された駆動源３７が配置されている。この駆動源３７の出力軸は上記ボックス３６の一側から外部に突出し、その突出端には第１の歯車３８と第１のプーリ３９とが設けられている。
【００２８】
上記ボックス３６の幅方向両側間には支軸４１が回転自在に支持されている。この支軸４１の両端部は上記ボックス３６の幅方向両側から突出し、その一端には上記第１の歯車３８に噛み合った第２の歯車４２および上記第１のプーリ３９と対をなす第２のプーリ４３が設けられている。
【００２９】
上記ボックス３６の他側から突出した支軸４１の他端には第３の歯車４４と第３のプーリ４５とが設けられている。上記ボックス３６の他側には短軸４６が設けられ、この短軸４６には上記第３の歯車４４に噛み合う第４の歯車４７および上記第３のプーリ４５と対をなす第４のプーリ４８が回転自在に設けられている。
【００３０】
対をなす各一対のプーリの一方にはステンレスなどの帯状金属等からなるベルト４９の一端部が巻回され、他端部は他方のプーリに巻回されている。このベルト４９の中途部は上記ガイドレール２１に形成された上部通路２３と下部通路２４とにわたって挿通されるとともにガイドレール２１の先端部でローラ２１ａによって折り返されている。
【００３１】
したがって、上記駆動源３７が作動して各一対のプーリが互いに逆方向に回転すると、上記ベルト４９は一端部が一方のプーリに巻回され、他端部が他方のプーリから繰り出されから、上記上部通路２３に位置する部分が所定方向に走行することになる。
【００３２】
上記保持体２６のサポート２７は、図４に示すように上記ベルト４９の上部通路２３に位置する部分にワイヤ５１を介して連結固定されている。したがって、上記ベルト４９が走行すれば、上記保持体２６が上記ベルト４９の走行に連動するようになっている。
【００３３】
なお、上記本体３の上面の長手方向他端側には図５に示すように合成樹脂製の枕体５０が設けられ、また基板４の上面の一対のガイドレール２１間の部分には図４に示すようにシート状のクッション材５０ａが貼着されている。
【００３４】
上記本体３の基板４の幅方向両側には、図４に示すようにヒンジ機構６の基板４上面側に突出した部分を覆う傾斜壁５２ａを有する柱状の固定クッション体５２が長手方向ほぼ全長にわたって設けられている。この固定クッション体５３は、たとえばウレタンフォームなどの軟らかなクッション性、つまり本体３とともに折り曲げ可能な合成樹脂などによって形成されている。
【００３５】
上記固定クッション体５３の側面と上面および一対の固定クッション体５３の間の部分、つまり上記保持体２６が走行する領域Ｒはカバー５４によって覆われている。カバー５４の上記領域Ｒを覆う部分は固定クッション体５２の上面に比べて所定寸法低い凹部５６となっている。なお、上記カバー５４は耐摩耗性を有する布地を用いた方が好ましい。
【００３６】
上記領域Ｒは、所定の幅寸法で、本体３の長手方向ほぼ全長にわたって形成されており、上記カバー５４の上記領域Ｒを覆う部分には一対の可動クッション体５５が開閉自在に設けられている。つまり、可動クッション体５５は、図４に示すように上記領域Ｒの幅寸法の約半分の幅寸法を有し、上記固定クッション体５５と同様のクッション性を有する合成樹脂によって上記領域Ｒの約半分の幅寸法に形成された板状部材５５ａを布製の袋体５５ｂに収容してなる。
【００３７】
一対の可動クッション体５５の上記固定クッション体５２側に位置する幅方向一側縁は上記カバー５４の上記固定クッション体５２の先端縁部を覆う部分にテープなどの連結具５７によって回動自在に連結されている。
【００３８】
一対の可動クッション体５２を上記カバー５４の上記領域Ｒを覆う部分に接合する方向、つまり閉方向に回動させることで、一対の可動クッション体５２の上面が一対の固定クッション体５２の上面とほぼ面一になる。また、一対の可動クッション体５５を図４に鎖線で示すように固定クッション体５２の上面に接合する方向、つまり開方向へ回動させれば、上記領域Ｒを開放できるようになっている。上記可動クッション体５５を固定クッション体５２に連結したことで、利用者がマッサージを受ける場合に、領域Ｒから除去した可動クッション体５５を保管せずにすむ。
【００３９】
なお、可動クッション体５５をカバー５４に回動自在に連結したが、連結せずに、取り外し自在な状態で上記凹部５６、つまりマッサージローラ３３が走行する領域Ｒに着脱自在に設けるようにしてもよい。
【００４０】
上記構成のマッサージ装置１において、その本体３を図１に実線で示すように折り曲げずに平坦にした状態で、一対の可動クッション体５５を図４に実線で示すマッサージローラ３３の走行領域Ｒを覆った閉状態から同図に鎖線で示すように固定クッション体５２上へ回動させて上記領域Ｒを露出させた開状態とする。
【００４１】
その開状態で、利用者は上記領域Ｒを覆うカバー５６上に横臥し、駆動装置３５を作動させて保持体２６をガイドレール２１に沿って往復駆動させれば、背面の全体にわたってマッサージを受けることができる。
【００４２】
利用者がマッサージを受けない場合には、一対の可動クッション体５５を閉状態に回動させ、上記領域Ｒを覆うカバー５４上に重合する。それによって、マッサージ装置１の上面は固定クッション体５２と可動クッション体５５とによって全体が覆われることになる。つまり、マッサージ装置１は上面が全体にわたってほぼ均一なクッション性を有する状態となる。
【００４３】
ついで、フレーム部材５の背側フレーム５ｂを起立方向へ回動させて本体３を屈曲させ、ヒンジ機構６によって図１に鎖線で示すように所定の角度で保持する。それによって、本体３の起立させた部分が背部となるから、上記マッサージ装置１をその背部の起立角度に応じてソファーやリクライニングシートなどとして利用することができ、しかもその背部の起立角度を利用者の利用状況に応じて自由に設定することができるため便利である。
【００４４】
すなわち、上記構成のマッサージ装置１によれば、利用者がマッサージを受けないときには、一対の可動クッション体５５を閉じれば、本体３の上面全体がクッション体５２，５５によって覆われた状態になるから、上記本体３の背部フレーム５ｂ側を起立させることで、ソファーなどとして利用することができる。
【００４５】
そのため、マッサージ装置１として利用しない場合であっても、ソファーやリクライニングシートなどとして利用できるため便利である。しかも、マッサージ装置１の本体３はヒンジ機構６によって所定の起立角度で保持可能であるから、利用者の利用し易い角度にすることができる。
【００４６】
上記本体３は脚フレーム２によって支持されている。この脚フレーム２は、上記本体３の両側に位置するとともに、その上部辺が本体３の座側フレーム５ａに対応する部分の上面側よりも上方に位置するから、マッサージ装置１をソファーとして使用する場合には上記脚フレーム２の上部辺を肘掛けとして利用することができる。
【００４７】
図１０と図１１にこの発明の第２の実施の形態を示す。この実施の形態のマッサージ装置１Ａは上記第１の実施の形態に比べてマッサージ装置１の本体の構成が異なる。つまり、この実施の形態の本体６１は一対の側部材６２を有する。この側部材６２は合成樹脂によって図１１に示す断面形状に形成されている。つまり、ベルト４９が通される上部通路２３と下部通路２４を有するとともに、その側方には保持体２６のローラ２８が走行するガイド部２５が形成されている。さらに、ガイド部２５の側方には載置部６３が形成されている。
【００４８】
一対の側部材６２は所定間隔で平行に配置され、その長手方向一端側は第１の連結部材６４によって連結され、他端側は第２の連結部材６５によって連結されている。第１の連結部材６４には枕部６６が形成され、第２の連結部材６５上には駆動装置３５が設けられている。この駆動装置３５はベルト４９を走行駆動させるという点で上記第１の実施の形態とほぼ同じであるが、ベルト４９は無端状で、駆動源２７によって駆動される駆動プーリ６７によって走行駆動されるという点で相違している。なお、図１０において６８は上記ベルト４９にテンションを与えるためのテンションローラである。
【００４９】
上記一対の側部材６２の長手方向中途部にはこの側部材６２を折り曲げ可能とする柔軟部６９が形成されている。この柔軟部６９は上記第１の実施の形態と同様、側部材６２の厚さ方向に所定の深さで溝を形成すればよいが、側部材６２自体を折り曲げ可能な合成樹脂で形成するようにしてもよい。
【００５０】
一対の側部材６２の載置部６３には支持プレート７１が幅方向両端部を係合させて載置されている。この支持プレート７１は上記側部材６２とともに折り曲げ可能な材料によって形成されていて、その上面にはシート状のクッション材７２が載置されている。このクッション材７２の幅方向両端部は上記側部材６２に一端部が固定された押えプレート７３によって保持されている。さらに、本体６１上には、マッサージローラ３３を有する保持体２６が１つだけ設けられている。上記本体６１の下面側には第１の実施の形態と同様のフレーム部材５が設けられ、上面側は同じくカバー５４によって覆われる。そして、上記フレーム部材５は、図示しないが、第１の実施の形態と同様、その座側フレーム５ａが脚フレーム２によって所定の高さで水平に支持されている。
【００５１】
このような構成のマッサージ装置１Ａであっても、折り曲げずに平坦な状態にして可動クッション体５５をマッサージローラ３３の走行領域Ｒから除去する開状態にすれば、その上面に利用者が横臥することでマッサージを受けることができ、また上記可動クッション体５５を閉状態にして本体６１を同図に鎖線で示すように折り曲げれば、ソファーやリクライニングシートなどとして利用することができる。
【００５２】
なお、この発明は上記各実施の形態に限定されず、種々変形可能である。たとえば、上記各実施の形態ではマッサージ装置の本体を脚フレームに支持したが、脚フレームに支持しなくてもよく、その場合、マッサージを受けない状態で上記本体を所定の角度に折り曲げれば、この本体を座椅子として利用することができる。
【００５３】
また、本体を長手方向全長にわたって連続した構成としたが、長手方向中途部で２つに分割し、分割された部分をそれぞれ蝶番によって折り曲げ自在に連結する構成としてもよい。
また、可動クッション体を本体に開閉自在に連結したが、可動クッション体を本体と別体、つまり本体に対して着脱自在な構成としても差し支えない。
【００５４】
【発明の効果】
請求項１の発明によれば、利用者がマッサージを受けない場合には、可動クッション体によってマッサージローラの走行領域を覆うことができ、しかも折り曲げ自在な本体を折り曲げた状態で保持することができるから、マッサージ装置をソファーとして利用することができる。
また、マッサージローラの走行領域を覆う可動クッション体を上記走行領域の外方に設けられた固定クッション体に開閉自在に連結したことで、上記可動クッション体を上記マッサージローラの走行領域への配置や走行領域からの除去を容易に行うことができる。
【００５５】
請求項２の発明によれば、本体の２つに分割された一方の部分を脚フレームによって所定の高さに保持したことで、座部が所定の高さになったソファーとして利用することができる。
【図面の簡単な説明】
【図１】この発明の第１の実施の形態を示す全体構成の斜視図。
【図２】同じく側面図。
【図３】同じく平面図。
【図４】同じく本体の一部分の拡大断面図。
【図５】同じくカバーを除去した本体の平面図。
【図６】同じくフレーム部材と脚フレームとの斜視図。
【図７】同じくヒンジ機構を拡大した側面図。
【図８】同じく本体とフレーム部材との連結構造の断面図。
【図９】同じく保持体を駆動する駆動系を示す側断面図。
【図１０】この発明の第２の実施形態を示すマッサージ装置の斜視図。
【図１１】同じく側部材の部分の拡大断面図。
【符号の説明】
２…脚フレーム
３…本体
６…ヒンジ機構（保持手段）
３３…マッサージローラ
３５…駆動装置（駆動手段）
５２…固定クッション体
５５…可動クッション体
【図１】
0003681274.tif 000002
【図２】
0003681274.tif 000003
【図３】
0003681274.tif 000004
【図４】
0003681274.tif 000005
【図５】
0003681274.tif 000006
【図６】
0003681274.tif 000007
【図７】
0003681274.tif 000008
【図８】
0003681274.tif 000009
【図９】
0003681274.tif 000010
【図１０】
0003681274.tif 000011
【図１１】
0003681274.tif 000012